(57)【要約】【課題】容器本体に対する蓋体の閉蓋状態を確実に維持することが出来ると共に、容器本体もしくは蓋体から容易に取り外すことが可能であり、洗浄がし易く、かつ、破損しづらい掛止部材を備えた弁当箱を提供する。【解決手段】弁当箱１０は、収容部を有する容器本体１と、この容器本体の開口に被嵌される蓋体２と、容器本体に対する蓋体の閉蓋状態を維持するバックル３と、から構成されている。容器本体は、側面より外方に突出する容器突片１１を備える。蓋体は、外縁より外方に突出する蓋突片２１を備える。バックルは、容器突片に係脱自在な下部開口３１と、蓋突片に係脱自在な上部開口３２とを備える。このバックルは、たとえば、シリコン樹脂などのエラストマーから構成され、閉蓋状態を維持する際は、上部開口に蓋体の蓋突片を挿通させて係止すると共に、下部開口に容器本体の容器突片を挿通させて係止する。【選択図】図１
0003220665.tif 000002
【実用新案登録請求の範囲】
【請求項１】
収容部を有する容器本体と、
前記容器本体の開口に被嵌される蓋体と、
前記容器本体に対する前記蓋体の閉蓋状態を維持するバックルと、
から構成された弁当箱であって、
前記容器本体は、側面より外方に突出する容器突片を備え、
前記蓋体は、外縁より外方に突出する蓋突片を備え、
前記バックルは、前記容器突片に係脱自在な下部開口と、前記蓋突片に係脱自在な上部開口とを備えている、
ことを特徴とする弁当箱。
【請求項２】
前記容器本体は、４つの側面を有し、対向する一対の側面にそれぞれ前記容器突片を備え、
前記蓋体は、前記容器本体に設けられた前記容器突片に対応する外縁位置にそれぞれ前記蓋突片を備え、
前記バックルは、各容器突片及び各蓋突片にそれぞれ係脱自在に２つ備えている、
ことを特徴とする請求項１に記載の弁当箱。
【請求項３】
前記容器本体は、２つ以上の側面を有し、全ての側面にそれぞれ前記容器突片を備え、
前記蓋体は、前記容器本体に設けられた前記容器突片に対応する外縁位置にそれぞれ前記蓋突片を備え、
前記バックルは、各容器突片及び各蓋突片にそれぞれ係脱自在に複数備えている、
ことを特徴とする請求項１に記載の弁当箱。
【請求項４】
前記容器本体は、３つ以上の側面を有し、何れか２つ以上の側面にそれぞれ前記容器突片を備え、
前記蓋体は、前記容器本体に設けられた前記容器突片に対応する外縁位置にそれぞれ前記蓋突片を備え、
前記バックルは、各容器突片及び各蓋突片にそれぞれ係脱自在に複数備えている、
ことを特徴とする請求項１に記載の弁当箱。
【請求項５】
前記容器本体は、４つ以上偶数の側面を有し、均等位置の側面にそれぞれ前記容器突片を備え、
前記蓋体は、前記容器本体に設けられた前記容器突片に対応する外縁位置にそれぞれ前記蓋突片を備え、
前記バックルは、各容器突片及び各蓋突片にそれぞれ係脱自在に複数備えている、
ことを特徴とする請求項１に記載の弁当箱。
【請求項６】
前記容器本体は、円筒状をした側面を有し、側面における周方向の均等位置にそれぞれ前記容器突片を備え、
前記蓋体は、前記容器本体に設けられた前記容器突片に対応する外縁位置にそれぞれ前記蓋突片を備え、
前記バックルは、各容器突片及び各蓋突片にそれぞれ係脱自在に複数備えている、
ことを特徴とする請求項１に記載の弁当箱。
【請求項７】
前記容器本体と前記蓋体とを予め一体的に結合するヒンジもしくは前記容器本体と前記蓋体とを任意に一体的に結合可能とするヒンジをさらに備え、
前記容器本体は、２つ以上の側面もしくは円筒状をした側面を有し、前記ヒンジが設けられた側面と対向する側面の少なくとも一箇所に前記容器突片を備え、
前記蓋体は、前記容器本体に設けられた前記容器突片に対応する外縁位置に前記蓋突片を備え、
前記バックルは、前記容器突片及び前記蓋突片に係脱自在に備えている、
ことを特徴とする請求項１に記載の弁当箱。
【請求項８】
前記蓋体は、前記蓋突片の上面が肉薄となる凹部を備えていることを特徴とする請求項１から７の何れか１項に記載の弁当箱。
【請求項９】
前記蓋体は、前記蓋突片の両側面が肉薄となるくびれ部を備えていることを特徴とする請求項１から８の何れか１項に記載の弁当箱。
【請求項１０】
前記蓋体は、前記蓋突片の先端部に肉厚部を備えていることを特徴とする請求項１から７の何れか１項に記載の弁当箱。
【請求項１１】
前記蓋体は、前記蓋突片の先端部に幅広部を備えていることを特徴とする請求項１から７、１０の何れか１項に記載の弁当箱。
【請求項１２】
前記バックルは、前記上部開口の内面に肉厚となる凸部を備えていることを特徴とする請求項８から１１の何れか１項に記載の弁当箱。
【請求項１３】
前記容器本体は、前記容器突片の下面が肉薄となる凹部を備えていることを特徴とする請求項１から１２の何れか１項に記載の弁当箱。
【請求項１４】
前記容器本体は、前記容器突片の両側面が肉薄となるくびれ部を備えていることを特徴とする請求項１から１３の何れか１項に記載の弁当箱。
【請求項１５】
前記容器本体は、前記容器突片の先端部に肉厚部を備えていることを特徴とする請求項１から１２の何れか１項に記載の弁当箱。
【請求項１６】
前記容器本体は、前記容器突片の先端部に幅広部を備えていることを特徴とする請求項１から１２、１５の何れか１項に記載の弁当箱。
【請求項１７】
前記バックルは、前記下部開口の内面に肉厚となる凸部を備えていることを特徴とする請求項１３から１６の何れか１項に記載の弁当箱。
【請求項１８】
前記バックルは、前記蓋突片に対する前記上部開口の圧接力が、前記容器突片に対する前記下部開口の圧接力より大きいことを特徴とする請求項１から１７の何れか１項に記載の弁当箱。
【請求項１９】
前記バックルは、下端部が外方に反っていることを特徴とする請求項１８に記載の弁当箱。
【請求項２０】
前記バックルは、前記容器突片に対する前記下部開口の圧接力が、前記蓋突片に対する前記上部開口の圧接力より大きいことを特徴とする請求項１から１７の何れか１項に記載の弁当箱。
【請求項２１】
前記バックルは、上端部が外方に反っていることを特徴とする請求項２０に記載の弁当箱。
【請求項２２】
前記バックルは、可撓性を有する弾性部材からなることを特徴とする請求項１から２１の何れか１項に記載の弁当箱。
【請求項２３】
前記容器本体の上縁部に載置され、前記蓋体との間に位置する第二の容器をさらに備えていることを特徴とする請求項１から２２の何れか１項に記載の弁当箱。
【考案の詳細な説明】
【技術分野】
【０００１】
本願考案は、容器本体と蓋体とから構成される弁当箱に係り、詳しくは、容器本体に対する蓋体の閉蓋状態を維持すると共に、閉蓋状態の解除を容易に行うことができる掛止部材を備えた弁当箱に関する。
【背景技術】
【０００２】
容器本体と蓋体とから構成される弁当箱において、携帯する際に容器本体から蓋体が外れることを防止する手段として、紐等の緊締具や、ゴム等の伸縮性を有する帯状バンドを用いることが従来知られている（たとえば、特許文献１，２又は３を参照）。
また、容器本体もしくは蓋体の何れかに回動式のレバー等の掛止部材を設け、この掛止部材によって容器本体や蓋体を押さえて、容器本体に対する蓋体の閉蓋状態を維持する手段も提案されている（たとえば、特許文献４又は５を参照）。
【０００３】
しかしながら、紐や帯状バンドの場合、弁当箱の長手方向における中心付近を押さえるものであるため、弁当箱の長手方向における端部付近に外力が加わった場合、容器本体から蓋体が外れてしまうおそれが多分にある。
一方、掛止部材の場合、容器本体もしくは蓋体から突出する掛止部材が邪魔になって洗浄がしづらいと共に、掛止部材が破損してしまった場合、容器本体に対する蓋体の閉蓋状態を維持することが出来なくなってしまう。
【先行技術文献】
【特許文献】
【０００４】
【特許文献１】実開昭５２−４０８１号公報
【特許文献２】実開平７−１６６０９号公報
【特許文献３】実用新案登録第３１１７９９４号公報
【特許文献４】実開平２−２８４６０号公報
【特許文献５】実開平６−３５１５２号公報
【考案の概要】
【考案が解決しようとする課題】
【０００５】
本考案は、上記事情に鑑みて成されたものであり、弁当箱の長手方向における端部付近に外力が加わった場合でも、容器本体に対する蓋体の閉蓋状態を確実に維持することが出来ると共に、容器本体もしくは蓋体から容易に取り外すことが可能であり、洗浄がし易く、かつ、破損しづらい掛止部材を備えた弁当箱を提供することを目的とする。
【課題を解決するための手段】
【０００６】
本考案の弁当箱は、収容部を有する容器本体と、前記容器本体の開口に被嵌される蓋体と、前記容器本体に対する前記蓋体の閉蓋状態を維持するバックルと、から構成された弁当箱であって、前記容器本体は、側面より外方に突出する容器突片を備え、前記蓋体は、外縁より外方に突出する蓋突片を備え、前記バックルは、前記容器突片に係脱自在な下部開口と、前記蓋突片に係脱自在な上部開口とを備えていることを特徴とする。
【０００７】
本考案の弁当箱において、前記容器本体は、４つの側面を有し、対向する一対の側面にそれぞれ前記容器突片を備え、前記蓋体は、前記容器本体に設けられた前記容器突片に対応する外縁位置にそれぞれ前記蓋突片を備え、前記バックルは、各容器突片及び各蓋突片にそれぞれ係脱自在に２つ備えているものとすることができる。
【０００８】
また、本考案の弁当箱において、前記容器本体は、２つ以上の側面を有し、全ての側面にそれぞれ前記容器突片を備え、前記蓋体は、前記容器本体に設けられた前記容器突片に対応する外縁位置にそれぞれ前記蓋突片を備え、前記バックルは、各容器突片及び各蓋突片にそれぞれ係脱自在に複数備えているものとすることもできる。
ここで、２つ以上の側面を有する容器本体としては、たとえば、平面視した形状が、レモン形、蒲鉾形、釣鐘形、三角形、扇形、菱形、台形、樽形、五角形や六角形といった多角形、瓢箪形、等であるものを挙げることができる。
【０００９】
また、本考案の弁当箱において、前記容器本体は、３つ以上の側面を有し、何れか２つ以上の側面にそれぞれ前記容器突片を備え、前記蓋体は、前記容器本体に設けられた前記容器突片に対応する外縁位置にそれぞれ前記蓋突片を備え、前記バックルは、各容器突片及び各蓋突片にそれぞれ係脱自在に複数備えているものとすることもできる。
【００１０】
また、本考案の弁当箱において、前記容器本体は、４つ以上の偶数側面を有し、均等位置の側面にそれぞれ前記容器突片を備え、前記蓋体は、前記容器本体に設けられた前記容器突片に対応する外縁位置にそれぞれ前記蓋突片を備え、前記バックルは、各容器突片及び各蓋突片にそれぞれ係脱自在に複数備えているものとすることもできる。
【００１１】
また、本考案の弁当箱において、前記容器本体は、楕円形を含む円筒状をした側面を有し、側面における周方向の均等位置にそれぞれ前記容器突片を備え、前記蓋体は、前記容器本体に設けられた前記容器突片に対応する外縁位置にそれぞれ前記蓋突片を備え、前記バックルは、各容器突片及び各蓋突片にそれぞれ係脱自在に複数備えているものとすることもできる。
【００１２】
また、本考案の弁当箱は、前記容器本体と前記蓋体とを予め一体的に結合するヒンジもしくは前記容器本体と前記蓋体とを任意に一体的に結合可能とするヒンジをさらに備え、前記容器本体は、２つ以上の側面もしくは円筒状をした側面を有し、前記ヒンジが設けられた側面と対向する側面の少なくとも一箇所に前記容器突片を備え、前記蓋体は、前記容器本体に設けられた前記容器突片に対応する外縁位置に前記蓋突片を備え、前記バックルは、前記容器突片及び前記蓋突片に係脱自在に備えているものとすることもできる。
【００１３】
本考案の上述した各種弁当箱において、前記蓋体は、前記蓋突片の上面が肉薄となる凹部を備えているものや、前記蓋突片の両側面が肉薄となるくびれ部を備えているものとすることができる。この凹部やくびれ部は、蓋突片の上面と両側面に共に備えられたものとしても良い。また、本考案の上述した各種弁当箱において、前記蓋体は、前記蓋突片の先端部の上側に肉厚部を備えているものや、前記蓋突片の先端部の両側に幅広部を備えているものとすることができる。この肉厚部や幅広部は、蓋突片の先端部に共に備えられたものとしても良い。
【００１４】
この際前記バックルは、前記上部開口の内面に肉厚となる凸部を備えているものとすると望ましい。具体的には、蓋突片の上面に凹部が設けられた場合は、上部開口の内面上部に肉厚となる凸部を設けるものとし、蓋突片の両側面にくびれ部が設けられた場合は、上部開口の内面側部に肉厚となる凸部を設けるものとする。また、蓋突片の先端部の上側に肉厚部が設けられた場合は、上部開口の内面上部に肉厚となる凸部を設けるものとし、蓋突片の先端部の両側に幅広部が設けられた場合は、上部開口の内面側部に肉厚となる凸部を設けるものとする。
【００１５】
これにより、上部開口の内面に設けられた凸部が、蓋突片の上面に設けられた凹部や、蓋突片の両側面に備えられたくびれ部と係止したり、または、蓋突片の先端部に備えられた肉厚部や幅広部を乗り越えて係止したりすることとなり、蓋体からバックルが無闇に離脱してしまうおそれが低減し、閉蓋状体を強固に維持することができるものとなる。
【００１６】
また、本考案の上述した各種弁当箱において、前記容器本体は、前記容器突片の下面が肉薄となる凹部を備えているや、前記容器突片の両側面が肉薄となるくびれ部を備えているものとすることができる。この凹部やくびれ部は、容器突片の下面と両側面に共に備えられたものとしても良い。また、本考案の上述した各種弁当箱において、前記容器本体は、前記容器突片の先端部の下面に肉厚部を備えているものや、前記容器突片の先端部の両側に幅広部を備えているものとすることができる。この肉厚部や幅広部は、容器突片の先端部に共に備えられたものとしても良い。
【００１７】
この際前記バックルは、前記下部開口の内面に肉厚となる凸部を備えているものとすると望ましい。具体的には、容器突片の下面に凹部が設けられた場合は、下部開口の内面下部に肉厚となる凸部を設けるものとし、容器突片の両側面にくびれ部が設けられた場合は、下部開口の内面側部に肉厚となる凸部を設けるものとする。また、容器突片の先端部の下面に肉厚部が設けられた場合は、下部開口の内面下部に肉厚となる凸部を設けるものとし、容器突片の先端部の両側に幅広部が設けられた場合は、下部開口の内面側部に肉厚となる凸部を設けるものとする。
【００１８】
これにより、下部開口の内面に設けられた凸部が、容器突片の下面に備えられた凹部や、容器突片の両側面に備えられたくびれ部と係止したり、または、容器突片の先端部に備えられた肉厚部や幅広部を乗り越えて係止したりすることとなり、容器本体からバックルが無闇に離脱してしまうおそれが低減し、閉蓋状体を強固に維持することができるものとなる。
【００１９】
本考案の上述した各種弁当箱において、前記バックルは、前記蓋突片に対する前記上部開口の圧接力が、前記容器突片に対する前記下部開口の圧接力より大きいものとなるようにすることができる。すなわち、これによって容器突片に対する下部開口の圧接力が、蓋突片に対する上部開口の圧接力よりも小さくなるので、弁当箱の開蓋作業において、容器本体の容器突片に対するバックルの下部開口の係止解除がし易いものとなる。
【００２０】
ゆえに、容器本体からだけバックルを外して、蓋体からバックルを外すことなく弁当箱を開蓋することができるものとなるので、バックルが紛失してしまうおそれを著しく低減することができる。
この際、バックルは、下端部が外方に反っているものとすると、下部開口側に位置するバックルの端部が把持し易く、弁当箱の開蓋作業がし易いものとなるので望ましい。
【００２１】
また、本考案の上述した各種弁当箱において、前記バックルは、前記容器突片に対する前記下部開口の圧接力が、前記蓋突片に対する前記上部開口の圧接力より大きいとなるようにしても良い。すなわち、これによって蓋突片に対する上部開口の圧接力が、容器突片に対する下部開口の圧接力より小さいものとなるので、弁当箱の開蓋作業において、蓋体の蓋突片に対するバックルの上部開口の係止解除がし易いものとなる。
【００２２】
ゆえに、蓋体からだけバックルを外して、容器本体からバックルを外すことなく弁当箱を開蓋することができるものとなるので、これによってもバックルが紛失してしまうおそれを著しく低減することができる。
この際、バックルは、上端部が外方に反っているものとすると、上部開口側に位置するバックルの端部が把持し易く、弁当箱の開蓋作業がし易いものとなるので望ましい。
【００２３】
本考案の上述した各種弁当箱において、前記バックルは、エラストマーなどのような可撓性を有する弾性部材とすることが好ましく、具体的には、たとえば、シリコン樹脂とすることが望ましい。
【００２４】
そして、本考案の上述した各種弁当箱は、前記容器本体の上縁部に載置され、前記蓋体との間に位置する第二の容器をさらに備えているものとしても良い。
【考案の効果】
【００２５】
本考案の弁当箱は、容器本体と、蓋体と、容器本体の容器突片に係脱自在な下部開口、及び蓋体の蓋突片に係脱自在な上部開口を備えるバックルとから構成されたものとなっている。ゆえに、バックルの上部開口に蓋体の蓋突片を挿通させて係止すると共に、下部開口に容器本体の容器突片を挿通させて係止することで、容器本体に対する蓋体の閉蓋状態を確実に維持することができる。また、容器本体の容器突片に対するバックルの下部開口の係止を解除、もしくは蓋体の蓋突片に対するバックルの上部開口の係止を解除することで、容器本体から蓋体を開き弁当箱の開蓋作業を行うことができる。
【００２６】
しかも、本考案の弁当箱は、バックルが、容器本体や蓋体と一体となっていないので、容器本体もしくは蓋体から容易に取り外すことが可能であり、容器本体や蓋体、及びバックルの洗浄がし易いと共に、バックルに外力が加わった場合でも、バックルは容器本体もしくは蓋体から容易に外れることで、破損するおそれが一切ないものとなっている。
【図面の簡単な説明】
【００２７】
【図１】本考案に係る弁当箱を示す斜視図である。
【図２】図１に示す弁当箱の正面図である。
【図３】図１に示す弁当箱の側面図である。
【図４】図１に示す弁当箱の平面図である。
【図５】本考案に係る弁当箱を構成する容器本体に設けられた容器突起の構造を説明する部分拡大側面図である。
【図６】本考案に係る弁当箱を構成する容器本体に設けられた容器突起の構造を説明する部分拡大底面図である。
【図７】本考案に係る弁当箱を構成する蓋体に設けられた蓋突起の構造を説明する部分拡大側面図である。
【図８】本考案に係る弁当箱を構成する蓋体に設けられた蓋突起の構造を説明する部分拡大平面図である。
【図９】本考案に係る弁当箱を構成するバックルの構造を説明する、（Ａ）正面図、（Ｂ）正面中央縦断面である。
【図１０】容器本体に設けられた容器突起の厚みとバックルに設けられた下部開口の高さ、及び蓋体に設けられた蓋突起の厚みとバックルに設けられた上部開口の高さとの関係をそれぞれ説明する概略図である。
【図１１】本考案に係る弁当箱を構成する容器本体に設けられた容器突起の他の構造を説明する部分拡大底面図である。
【図１２】本考案に係る弁当箱を構成するバックルの他の構造を説明する、（Ａ）正面図、（Ｂ）正面中央縦断面である。
【図１３】本考案に係る弁当箱を構成する容器本体に設けられた容器突起の他の構造を説明する部分拡大側面図である。
【図１４】本考案に係る弁当箱を構成する容器本体に設けられた容器突起の他の構造を説明する部分拡大平面図である。
【図１５】本考案に係る弁当箱を構成する蓋体に設けられた蓋突起の他の構造を説明する部分拡大側面図である。
【図１６】本考案に係る弁当箱を構成する蓋体に設けられた蓋突起の他の構造を説明する部分拡大平面図である。
【図１７】本考案に係る弁当箱を構成するバックルのさらに他の構造を説明する、（Ａ）正面図、（Ｂ）正面中央縦断面である。
【図１８】本考案に係る弁当箱の他の構造を示す展開図である。
【図１９】本考案に係る弁当箱の形状と構造の概略を説明する平面図である。
【図２０】本考案に係る弁当箱の形状と構造の概略を説明する平面図である。
【考案を実施するための形態】
【００２８】
次に、本考案の実施の形態の一例を図面に基づいて説明する。
本実施の形態では、本考案の好適な具体例であるため技術的に種々の限定が付されているが、本考案の範囲は、以下の説明において特に限定する旨の記載がない限り、これらの形態に限られるものではない。
【００２９】
まず、図１から図４に示すように、本実施の形態における弁当箱１０は、容器本体１と、蓋体２と、バックル３とから構成されている。
図において弁当箱１０は、平面視した角部が丸みを帯びた横長矩形状をしたものとして示されているが、これは説明の便宜上の一例として示すものであって、この形態に限定さられるものではない。
【００３０】
容器本体１は、上面が全面的に開口した深さを有する凹状部材であり、内部がご飯やおかず、又はサンドイッチ等の食材を詰め込むための収容部となっている。
また、容器本体１は、側面より外方に突出する容器突片１１を備える。この容器突片１１は、後述するバックル３の下部開口３１に挿通されることで、容器本体１とバックル３とを一体的に維持するものとして機能する。
【００３１】
また、容器突片１１は、たとえば、図５及び図６に示すように、下面側が肉薄となる凹部１１１を備えているものとすることができる。すなわち、凹部１１１は、容器突片１１の下（裏）面側に形成されたものとなっている。この凹部１１１には、後述するバックル３の下部開口３１の内面下部に設けられた肉厚となる凸部３１１が位置し、バックル３の下方側を係止するものとして機能することとなる。
【００３２】
さらに、容器突片１１は、たとえば、図１１に示すように、容器突片１１の両側面が肉薄となるくびれ部１１２，１１２を備えているものとしても良い。このくびれ部１１２には、バックル３の下部開口３１の内面側部が位置し、バックル３の下方側の係止状態をより強くするものとして機能することとなる。
【００３３】
図において容器本体１は、４つの側面を有する横長矩形状をし、平面視した角部が丸みを帯び、対向する一対の短辺側面に、それぞれ容器突片１１，１１を備えたものとして示されている。
なお、容器本体１の収容部内には、ご飯やおかず等を収容する領域を区分けする仕切りを設けるものとしても良い。
【００３４】
また、この容器突片１１は、本実施の形態のように対向する一対の短辺側面に限らず、対向する一対の長辺側面にそれぞれ備えるものとしても良い。また、容器突片１１は、本実施の形態のように各側面に一つに限らず、複数備えるものとしても良い。
【００３５】
蓋体２は、容器本体１の開口を全面的に覆うように閉塞する被嵌部材であり、外縁より外方に突出する蓋突片２１を備える。この蓋突片２１は、蓋体２を容器本体１に被嵌した際に、容器本体１に設けられた容器突片１１，１１の上方に配されることとなる対応する外縁位置にそれぞれ設けられたものとなっており、後述するバックル３の上部開口３２に挿通されることで、蓋体２とバックル３とを一体的に維持するものとして機能する。
図において蓋体２は、容器本体１と同様に、平面視した角部が丸みを帯び、対向する一対の短辺縁部に、それぞれ蓋突片２１，２１を備えたものとして示されている。
【００３６】
また、蓋突片２１は、たとえば、図７に示すように、上面が肉薄となる凹部２１１を備えているものとすることができる。この凹部２１１は、後述するバックル３の上部開口３１の内面上部に設けられた肉厚となる凸部３２１が位置し、バックル３の上方側を係止するものとして機能することとなる。
【００３７】
また、蓋突片２１は、たとえば、図８に示すように、両側面が肉薄となるくびれ部２１２，２１２を備えているものとしても良い。このくびれ部２１２には、バックル３の上部開口３２の内面側部が位置し、バックル３の上方側の係止状態をより強くするものとして機能することとなる。
【００３８】
バックル３は、容器本体１に対する蓋体２の閉蓋状態を維持する係止部材であり、上下の位置に２つの開口を備えている。上方に位置する開口は、蓋突片２１に係脱自在な上部開口３２となり、下方に位置する開口は、容器突片１１に係脱自在な下部開口３１となる。このバックルは、たとえば、エラストマーのような可撓性を有する弾性部材からなるものとすると良く、具体的には、シリコン樹脂製とすると望ましい。なお、念のために述べるが、本考案においては硬質部材からなるバックルを排除するものではない。
【００３９】
また、バックル３は、たとえば、図９に示すように、下部開口３１の内面下部に肉厚となる凸部３１１を備えているものや、上部開口３２の内面上部と内面側部に肉厚となる凸部３２１を備えているものとすることができる。
このようなバックル３の凸部３１１は、容器本体１の容器突片１１が下部開口３１に挿通されることで凹部１１１に位置し、バックル３の下方側を係止するものとして機能することとなる。一方、バックル３の凸部３２１は蓋体２の蓋突起２１が上部開口３２に挿通されることで凹部２１１に位置し、バックル３の上方側を係止するものとして機能することとなる。
【００４０】
ここで、容器本体１に設けられた容器突起１１とバックル３に設けられた下部開口３１、及び蓋体２に設けられた蓋突起２１とバックル３に設けられた上部開口３２との関係をそれぞれ説明する。図１０に示すように、容器突片１１の厚みｄ１１は、下部開口３１の内面下部に設けられた凸部３１１上（先端）の高さｔ３１より大きく（ｄ１１＞ｔ３１）、容器突片１１は下部開口３１に係止するものとなっている。また、蓋突起２１の厚みｄ２１は、上部開口３２の内面上部に設けられた凸部３２１下（先端）の高さｔ３２より大きく（ｄ２１＞ｔ３２）、蓋突起２１は上部開口３２に係止するものとなっている。
【００４１】
これにより、容器突片１１からバックル３が無闇に外れることがないと共に、蓋体２からバックル３が無闇に外れることがなく、容器突片１１に対するバックル３の係止状態、及び蓋体２に対するバックル３の係止状態がより確実なものとなっている。しかも、下部開口３１の内面下部に凸部３１１を設けたり、上部開口３２の内面上部と内面側部に凸部３２１を設けたりすることで、容器突片１１及び蓋体２に対するバックル３の係止状態をより一層確実なものとすることができる。
【００４２】
図１から図４においてバックル３は、各容器突片１１，１１及び各蓋突片２１，２１にそれぞれ係脱自在に２つ備えたものとして示されている。
ゆえに、本考案の弁当箱１０では、容器本体１の開口に蓋体２を被嵌した後、容器本体１の各容器突片１１，１１に各バックル３の下部開口３１をそれぞれ挿通すると共に、蓋体２の各蓋突起２１，２１に各バックル３の上部開口３２を挿通する。これにより、バックル３によって容器本体１に対する蓋体２の閉蓋状態が維持されるものとなる。
【００４３】
また、本考案においてバックル３は、たとえば、図９に示すように、上部開口３２の内面下部に肉厚となる凸部３２２をさらに備えているものとすることができる。この際、図７に示すように、蓋突片２１は、バックル３の上部開口３２との係止状態が良好となるように、下面側が肉薄となる凹部２１３を備えているものとすることができる。すなわち、凹部２１３は、蓋突片２１の下（裏）面側に形成されたものとなっている。この凹部２１３には、バックル３の上部開口３２の内面下部に設けた肉厚となる凸部３２２が位置し、蓋突片２１に設けられた凹部２１１及びくびれ部２１２と共に、バックル３の上方側の係止状態をより強くするものとして機能することとなる。
【００４４】
また、本考案においてバックル３は、たとえば、図１２に示すように、下部開口３１の内面や上部開口３２の内面に肉厚となる凸部を設けない構造とすることもできる。この際、容器突片１１や蓋突片２１は、下部開口３１や上部開口３２との係止状態が良好となるように、たとえば、以下のような構造とすることができる。
【００４５】
まず、容器突片１１は、たとえば、図１３に示すように、先端下部に肉厚部１２１を備えているものとすることができる。すなわち、肉厚部１２１は、容器突片１１の背（裏）面側に形成されたものとなっている。この肉厚部１２１は、バックル３の下部開口３１を乗り越えて（通り抜けて）位置し、バックル３の下方側を係止するものとして機能することとなる。
【００４６】
また、容器突片１１は、たとえば、図１４に示すように、先端両側部に幅広部１２２，１２２を備えているものとしても良い。この幅広部１２２もまた、バックル３の下部開口３１を乗り越えて位置し、バックル３の下方側の係止状態をより強くするものとして機能することとなる。
【００４７】
一方、蓋突片２１は、たとえば、図１５に示すように、先端上部に肉厚部２２１を備えているものとすることができる。この肉厚部２２１は、バックル３の上部開口３１を乗り越えて位置し、バックル３の上方側を係止するものとして機能することとなる。
【００４８】
また、蓋突片２１は、たとえば、図１６に示すように、先端両側部に幅広部２２２を備えているものとしても良い。この幅広部２２２もまた、バックル３の上部開口３１を乗り越えて位置し、バックル３の上方側を係止するものとして機能することとなる。
【００４９】
したがって、肉厚部１２１や幅広部１２２を備える容器突片１１と、肉厚部２２１や幅広部２２２を備える蓋突片２１を組み合わせることによっても、バックル３によって容器本体１に対する蓋体２の閉蓋状態を維持することができるものとなる。
【００５０】
さらに、本考案においてバックル３は、蓋突片２１に対する上部開口３２の圧接力が、容器突片１１に対する下部開口３１の圧接力より大きいもの、言い換えれば、容器突片１１に対する下部開口３１の圧接力が、蓋突片２１に対する上部開口３２の圧接力より小さいものとすることができる。
【００５１】
このようなバックル３は、容器突片１１の厚みｄ１１に対する下部開口３１の高さｔ３１と、蓋突起２１の厚みｄ２１に対する上部開口３２の高さｔ３２を互いに調整することで達成することができる。
また、このような圧接力は、容器突片１１の凹部１１１の深さに対する下部開口３１の凸部３１１の大きさと、蓋突起２１の凹部２１１の深さに対する上部開口３２の凸部３２１の大きさを互いに調整することでも達成することができる。
【００５２】
この際、バックル３は、図９（Ｂ）に示すように、下端部（下部開口３１側の端部）３Ｌが外方に反っているものとすると、弁当箱の開蓋作業において、圧接力が小さい側に位置するバックル３の下端部３Ｌが摘まみ易くなるので望ましい。
ゆえに、このバックル３の下端部３Ｌを摘んで外方へ引っ張れば、蓋突片２１に対する上部開口３２の係止状態が解除される前に、容器突片１１に対する下部開口３１の係止状態が解除されることとなり、弁当箱の開蓋作業が容易になる。しかも、この際バックル３は、蓋体２からは外れることなく一体となっているので、紛失してしまうおそれをなくすこともできる。
【００５３】
また、本考案においてバックル３は、容器突片１１に対する下部開口３１の圧接力が、蓋突片２１に対する上部開口３２の圧接力より大きいもの、言い換えれば、蓋突片２１に対する上部開口３２の圧接力が、容器突片１１に対する下部開口３１の圧接力より小さいことものとすることもできる。
【００５４】
このようなバックル３もまた、容器突片１１の厚みｄ１１に対する下部開口３１の高さｔ３１と、蓋突起２１の厚みｄ２１に対する上部開口３２の高さｔ３２を互いに調整することで達成することができる。
また、このような圧接力は、容器突片１１の凹部１１１の深さに対する下部開口３１の凸部３１１の大きさと、蓋突起２１の凹部２１１の深さに対する上部開口３２の凸部３２１の大きさを互いに調整することでも達成することができる。
【００５５】
この際、バックル３は、図１７に示すように、上端部（上部開口３２側の端部）３Ｕが外方に反っているものとすると、弁当箱の開蓋作業において、圧接力が小さい側に位置するバックル３の上端部３Ｕが摘まみ易くなるので望ましい。
ゆえに、このバックル３の上端部３Ｕを摘んで外方へ引っ張れば、容器突片１１に対する下部開口３１の係止状態が解除される前に、蓋突片２１に対する上部開口３２の係止状態が解除されることとなり、弁当箱の開蓋作業が容易になる。しかも、この際バックル３は、容器本体１からは外れることなく一体となっているので、紛失してしまうおそれをなくすこともできる。
【００５６】
また、本考案においては、図１８に示すように、容器本体１の上縁部に載置され、蓋体２との間に位置する第二の容器４をさらに備えている弁当箱２０とすることも出来る。
この弁当箱２０では、たとえば、容器本体１にご飯だけを収容し、第二の容器４におかず等を収容することができる。なお、本実施の形態では、容器本体１の収容部内に仕切りを設けることを否定するものではない。
【００５７】
また、本考案においては、図１９及び図２０においてそれぞれ示すように、弁当箱の形態を種々変更することも出来る。
図１９（Ａ）は、２つの側面を有し、全ての側面にそれぞれ容器突片を備える容器本体１と、容器本体１に設けられた容器突片に対応する外縁位置にそれぞれ蓋突片を備える蓋体２と、各容器突片及び各蓋突片にそれぞれ係脱自在に設けられた２つのバックル３とから構成された、平面視レモン形状をした弁当箱３０を示すものである。
【００５８】
図１９（Ｂ）は、３つの側面を有し、全ての側面にそれぞれ容器突片を備える容器本体と、容器本体１に設けられた容器突片に対応する外縁位置にそれぞれ蓋突片を備える蓋体２と、各容器突片及び各蓋突片にそれぞれ係脱自在に設けられた３つのバックル３とから構成された、平面視三角形状をした弁当箱４０を示すものである。
【００５９】
図１９（Ｃ）は、４つの側面を有し、全ての側面にそれぞれ容器突片を備える容器本体と、容器本体１に設けられた容器突片に対応する外縁位置にそれぞれ蓋突片を備える蓋体２と、各容器突片及び各蓋突片にそれぞれ係脱自在に設けられた４つのバックル３とから構成された、平面視正方形状をした弁当箱５０を示すものである。
【００６０】
図２０（Ａ）は、５つの側面を有し、全ての側面にそれぞれ容器突片を備える容器本体と、容器本体１に設けられた容器突片に対応する外縁位置にそれぞれ蓋突片を備える蓋体２と、各容器突片及び各蓋突片にそれぞれ係脱自在に設けられた５つのバックル３とから構成された、平面視五角形状をした弁当箱６０を示すものである。
【００６１】
図２０（Ｂ）は、６つの側面を有し、均等位置の側面にそれぞれ容器突片を備える容器本体と、容器本体１に設けられた容器突片に対応する外縁位置にそれぞれ蓋突片を備える蓋体２と、各容器突片及び各蓋突片にそれぞれ係脱自在に設けられた３つのバックル３とから構成された、平面視六角形状をした弁当箱７０を示すものである。
【００６２】
図２０（Ｃ）は、円筒状をした側面を有し、側面における周方向の対向位置にそれぞれ容器突片を備える容器本体１と、容器本体１に設けられた容器突片に対応する外縁位置にそれぞれ蓋突片を備える蓋体２と、各容器突片及び各蓋突片にそれぞれ係脱自在に設けられた２つのバックル３とから構成された、平面視円形状をした弁当箱８０を示すものである。
【００６３】
以上のような構成をした弁当箱３０，４０，５０，６０，７０，８０においては、容器本体１の容器突片１１、蓋体２の蓋突起２１、バックル３の下部開口３１と上部開口３２、及び第二の容器４が示されていないが、上述した弁当箱１０，２０と同じ構造をしたものとすることができる。
【００６４】
ゆえに、これらの弁当箱３０，４０，５０，６０，７０，８０においても、容器本体１の開口に蓋体２を被嵌した後、容器本体１の各容器突片１１，１１に各バックル３の下部開口３１をそれぞれ挿通すると共に、蓋体２の各蓋突起２１，２１に各バックル３の上部開口３２を挿通することで、バックル３によって容器本体１に対する蓋体２の閉蓋状態が維持されるものとなる。また、容器本体１の上縁部に第二の容器４が載置され、ご飯とおかず等を分けて収容することもできる。
【００６５】
さらに、本考案においては、図示しないが、容器本体１と蓋体２とを一体的に結合するヒンジを備える弁当箱とすることが出来る。すなわち、容器本体１の側面に備える何れかの容器突片１１と、この容器突片１１に対応する位置に備える蓋体２の蓋突片２１と、容器突片１１及び蓋突片２１に係脱自在に設けられたバックル３とに代えて、ヒンジを設けるようにするものである。
【００６６】
このようなヒンジとしては、容器本体１と蓋体２とを予め一体的に結合するものや、容器本体１と蓋体２とを任意に一体的に結合可能とするものが考えられる。
具体的には、容器本体１と蓋体２とを予め一体的に結合するヒンジを備える弁当箱の場合、たとえば、容器側取付部と、蓋側取付部と、回動連結部とから構成されたものとすることができる。すなわち、容器本体１の側面上縁部に容器側取付部を設けると共に、蓋体２の縁部に蓋側取付部を設け、容器側取付部と蓋側取付部とを回動連結部を介して一体的に結合するものである。このようなヒンジは、容器本体１と蓋体２との閉蓋・開蓋が容易に行えるように、容器本体１と蓋体２とを常時結合するものである。
【００６７】
また、容器本体１と蓋体２とを任意に一体的に結合可能とするヒンジを備える弁当箱の場合、たとえば、容器本体１に設けられた係止孔部及び係止杆と、蓋体２に設けられた係止Ｕ字片とから構成されたものとすることができる。すなわち、蓋体２に設けた係止Ｕ字片を、容器本体１に設けた係止孔部を介して（挿通して）係止杆に回動自在に係合させるものである。このようなヒンジは、使用時や収納時に容器本体１と蓋体２とを結合するものであって、洗浄時や食事の際には容器本体１と蓋体２とが互いに分離可能とするものである。
【００６８】
このようなヒンジを備える弁当箱について、図１９及び図２０を用いて具体的に説明する。
図１９（Ａ）においては、たとえば、図において上部に示されるバックル３に代えてヒンジを設けるものとすることができる。すなわち、容器本体１の上部側面側にヒンジを設けた場合、このヒンジと対向する容器本体１の下部側面に容器突片を備えると共に、この容器突片に対応する蓋体２の外縁位置に蓋突片を備え、さらに、容器突片及び蓋突片に係脱自在にバックル３を１つ備えるものとすることができる。
【００６９】
図１９（Ｂ）においては、たとえば、図において下部に示されるバックル３に代えてヒンジを設けるものとすることができる。すなわち、容器本体１の下部側面側にヒンジを設けた場合、容器本体１の右上に位置する右側面と左上に位置する左側面とに容器突片をそれぞれ備えると共に、これらの容器突片に対応する蓋体２の外縁位置に蓋突片をそれぞれ備え、さらに、容器突片及び蓋突片に係脱自在にバックル３を２つ備えるものとすることができる。
【００７０】
図１９（Ｃ）においては、たとえば、図において上部に示されるバックル３に代えてヒンジを設けるものとすることができる。すなわち、容器本体１の上部側面側にヒンジを設けた場合、容器本体１の右側に位置する右側面と、左側に位置する左側面と、対向する下部側面とに容器突片をそれぞれ備えると共に、これらの容器突片に対応する蓋体２の外縁位置に蓋突片をそれぞれ備え、容器突片及び蓋突片に係脱自在にバックル３を３つ備えるものとすることができる。
【００７１】
図２０（Ａ）においては、たとえば、図において下部に示されるバックル３に代えてヒンジを設けるものとすることができる。すなわち、容器本体１の下部側面側にヒンジを設けた場合、容器本体１の右下に位置する右下側面と、右上に位置する右上側面と、左上に位置する左上側面と、左下に位置する左下側面とに容器突片をそれぞれ備えると共に、これらの容器突片に対応する蓋体２の外縁位置に蓋突片をそれぞれ備え、容器突片及び蓋突片に係脱自在にバックル３を４つ備えるものとすることができる。
【００７２】
図２０（Ｂ）においては、たとえば、図において上部に示されるバックル３に代えてヒンジを設けるものとすることができる。すなわち、容器本体１の上部側面側にヒンジを設けた場合、容器本体１の右下に位置する右下側面と、左下に位置する左下側面とに容器突片をそれぞれ備えると共に、これらの容器突片に対応する蓋体２の外縁位置に蓋突片をそれぞれ備え、容器突片及び蓋突片に係脱自在にバックル３を２つ備えるものとすることができる。
【００７３】
そして、図２０（Ｃ）においては、たとえば、図において左側に示されるバックル３に代えてヒンジを設けるものとすることができる。すなわち、容器本体１の左側面側にヒンジを設けた場合、このヒンジと対向する容器本体１の右側面に容器突片を備えると共に、この容器突片に対応する蓋体２の外縁位置に蓋突片を備え、さらに、容器突片及び蓋突片に係脱自在にバックル３を１つ備えるものとすることができる。
【００７４】
このようなヒンジを備える弁当箱とすることで、バックル３の数を減らして効率良く容器本体に対する蓋体の閉蓋状態を維持することができると共に、開蓋作業を容易に行うものとすることができる。なお、ヒンジは、一箇所に限らず複数個所に設けるものとしても良い。
【符号の説明】
【００７５】
１  容器本体、２  蓋体、３  バックル、４  第二の容器、１０，２０，３０，４０，５０，６０，７０，８０  弁当箱、１１  容器突起、２１  蓋突起、３１  下部開口、３２  上部開口、１１１，２１１  凹部、１１２，２１２  くびれ部、１２１，２２１  肉厚部、１２２，２２２  幅広部、３１１，３２１  凸部。
【図１】
0003220665.tif 000003
【図２】
0003220665.tif 000004
【図３】
0003220665.tif 000005
【図４】
0003220665.tif 000006
【図５】
0003220665.tif 000007
【図６】
0003220665.tif 000008
【図７】
0003220665.tif 000009
【図８】
0003220665.tif 000010
【図９】
0003220665.tif 000011
【図１０】
0003220665.tif 000012
【図１１】
0003220665.tif 000013
【図１２】
0003220665.tif 000014
【図１３】
0003220665.tif 000015
【図１４】
0003220665.tif 000016
【図１５】
0003220665.tif 000017
【図１６】
0003220665.tif 000018
【図１７】
0003220665.tif 000019
【図１８】
0003220665.tif 000020
【図１９】
0003220665.tif 000021
【図２０】
0003220665.tif 000022